(57)【要約】【課題】２つのカメラを用いて撮影を行う場合、ユーザが、同じ状況で撮影した他のカメラによる撮影画像があることを容易に認識すること。【解決手段】第１の方向を撮影する第１のカメラと、前記第１の方向とは異なる第２の方向を撮影する第２のカメラと、前記第１のカメラによる撮影時の周辺状況が前記第２のカメラによって撮影された場合、前記第１のカメラによって撮影された第１撮影画像の画像データと、前記第２のカメラによって撮影された第２撮影画像の画像データとを、それぞれ関連付付ける関連処理部と、を備える。【選択図】図１
2013243455.tif 000002
【特許請求の範囲】
【請求項１】
第１の方向を撮影する第１のカメラと、
前記第１の方向とは異なる第２の方向を撮影する第２のカメラと、
前記第１のカメラによる撮影時の周辺状況が前記第２のカメラによって撮影された場合、前記第１のカメラによって撮影された第１撮影画像の画像データと、前記第２のカメラによって撮影された第２撮影画像の画像データとを、それぞれ関連付付ける関連処理部と、
を備えることを特徴とする撮影装置。
【請求項２】
前記第１撮影画像を表示部に表示させる際に前記第１撮影画像に関連付けられている前記第２撮影画像がある場合、あるいは、前記第２撮影画像を前記表示部に表示させる際に前記第２撮影画像に関連付けられている前記第１撮影画像がある場合、それぞれ関連付けられている前記第１撮影画像と前記第２撮影画像とを対応づけて前記表示部に表示させる表示制御部をさらに備えることを特徴とする請求項１に記載の撮影装置。
【請求項３】
前記表示制御部は、
前記第１撮影画像の下層に関連付けられている前記第２撮影画像を、あるいは、前記第２撮影画像の下層に関連付けられている前記第１撮影画像を、それぞれ表示できることを示す指標を前記表示部に表示させることを特徴とする請求項２に記載の撮影装置。
【請求項４】
前記表示制御部は、
前記第１のカメラあるいは第２のカメラのうち先に起動された方の撮影画像を後から起動された方の撮影画像の表示領域よりも大きく前記表示部に表示させることを特徴とする請求項２あるいは３に記載の撮影装置。
【請求項５】
前記関連処理部は、
前記第１のカメラと前記第２のカメラとの両方を用いた撮影が指示された場合、前記第１のカメラによる前記第１撮影画像の画像ファイルと、前記第２のカメラによる前記第２撮影画像の画像ファイルとに、前記第１のカメラと前記第２のカメラとの両方を用いた撮影であることを示す第１情報を埋め込むとともに、前記各画像ファイルを対応付ける第２情報を少なくとも一方の前記画像ファイルに埋め込む処理を行うことを特徴とする請求項１から４のうちいずれか一項に記載の撮影装置。
【請求項６】
第１の方向を撮影する第１のカメラによって第１撮影画像が撮影されるステップと、
前記第１の方向とは異なる第２の方向を撮影する第２のカメラによって第２撮影画像が撮影されるステップと、
前記第１のカメラによる撮影時の周辺状況が前記第２のカメラによって撮影された場合、前記第１撮影画像の画像データと前記第２撮影画像の画像データとを、それぞれ関連付付けるステップと、
を備えることを特徴とする撮影制御方法。
【請求項７】
コンピュータを、
第１の方向を撮影する第１の撮影手段、
前記第１の方向とは異なる第２の方向を撮影する第２の撮影手段、
前記第１の撮影手段による撮影時の周辺状況が前記第２の撮影手段によって撮影された場合、前記第１の撮影手段によって撮影された第１撮影画像の画像データと、前記第２の撮影手段によって撮影された第２撮影画像の画像データとを、それぞれ関連付付ける関連処理手段、
として機能させるためのプログラム。
【発明の詳細な説明】
【技術分野】
【０００１】
本発明は、携帯端末等において用いて好適な撮影装置、撮影制御方法及びプログラムに関する。
【背景技術】
【０００２】
特許文献１には、筐体表面の正面側と背面側とにそれぞれカメラを搭載した携帯電話機の一例が記載されている。この携帯電話機は、各カメラの撮影画像をそれぞれ書き込むための２つのメモリと、各カメラの撮影画像を合成した画像を書き込むための１つのメモリとを備えている。この携帯電話機では、２つのカメラのどちらかを選択して撮影を行う場合、撮影画像は、選択したカメラに対応するメモリに書き込まれる。ただし、各メモリに書き込んだ画像を後で合成して合成画像用のメモリに書き込むことができる。一方、２つのカメラを同時に使用して撮影を行う場合、各カメラで撮影した画像を合成した画像が合成画像用のメモリに書き込まれる。
【先行技術文献】
【特許文献】
【０００３】
【特許文献１】特開２００４−１８０１０７号公報
【発明の概要】
【発明が解決しようとする課題】
【０００４】
上述したように、特許文献１に記載されている撮影装置では、２つのカメラを同時に使用する場合、各カメラの撮影画像は合成画像としてメモリに保存される。各カメラの撮影画像を個々に保存するには、各カメラを順次に選択して撮影を行うことになる。静止画であれば多少の時間的誤差は生じるが、２つのカメラをほぼ同時に使用して撮影を行うことが可能である。ただし、撮影した画像自体は別々の画像として保存される。そのため、後で写真を見返した際に、同じ状況で撮影していることが分かり難いという課題があった。特に２つのカメラで異なる被写体を撮影した場合、顕著となる。
【０００５】
本発明は、上記の事情を考慮してなされたものであり、上記の課題を解決することができる撮影装置、撮影制御方法及びプログラムを提供することを目的とする。
【課題を解決するための手段】
【０００６】
上記課題を解決するため、本発明にかかる撮影装置は、第１の方向を撮影する第１のカメラと、前記第１の方向とは異なる第２の方向を撮影する第２のカメラと、前記第１のカメラによる撮影時の周辺状況が前記第２のカメラによって撮影された場合、前記第１のカメラによって撮影された第１撮影画像の画像データと、前記第２のカメラによって撮影された第２撮影画像の画像データとを、それぞれ関連付付ける関連処理部と、を備える。
【０００７】
本発明にかかる撮影制御方法は、第１の方向を撮影する第１のカメラによって第１撮影画像が撮影されるステップと、前記第１の方向とは異なる第２の方向を撮影する第２のカメラによって第２撮影画像が撮影されるステップと、前記第１のカメラによる撮影時の周辺状況が前記第２のカメラによって撮影された場合、前記第１撮影画像の画像データと前記第２撮影画像の画像データとを、それぞれ関連付付けるステップと、を備える。
【０００８】
本発明にかかるプログラムは、第１の方向を撮影する第１の撮影手段、前記第１の方向とは異なる第２の方向を撮影する第２の撮影手段、前記第１の撮影手段による撮影時の周辺状況が前記第２の撮影手段によって撮影された場合、前記第１の撮影手段によって撮影された第１撮影画像の画像データと、前記第２の撮影手段によって撮影された第２撮影画像の画像データとを、それぞれ関連付付ける関連処理手段、として機能させるためのプログラムである。
【発明の効果】
【０００９】
本発明によれば、撮影画像を表示する際、第１のカメラと第２のカメラとの両方を用いた撮影である場合、一方のカメラの撮影時に他方のカメラで撮影された画像を、それぞれ関連づけておくことができる。よって、目的となる画像を撮影した場合、この撮影目的である画像を撮影した際の、周囲の状況も撮影することができるとともに、撮影画像を確認する際に、撮影目的である画像とその周囲の状況の画像を、容易に確認することができる。
したがって、ユーザは、例えば後で撮影画像を見返した際に、同じ状況で撮影した他のカメラによる撮影画像があることを容易に認識することができる。また、対応する２つの画像ファイルを容易に対応付けることができ、表示における自由度を向上させることができる。
【図面の簡単な説明】
【００１０】
【図１】本発明の一実施形態の構成例を示したブロック図である。
【図２】本発明の一実施形態にかかる携帯電話機の外観構成の一例を示した模式図である。
【図３】本発明の一実施形態にかかる携帯電話機の表示例を説明するための図である。
【図４】本発明の一実施形態にかかる携帯電話機の他の表示例を説明するための図である。
【図５】本発明の一実施形態にかかる携帯電話機の動作例を示したフローチャートである。
【図６】本発明の一実施形態にかかる携帯電話機の動作例を説明する際に用いる携帯電話機１の表示例を説明するための図である。
【図７】本発明の一実施形態にかかる携帯電話機の他の動作例を示したフローチャートである。
【図８】本発明の実施形態の基本構成を示したブロック図である。
【発明を実施するための形態】
【００１１】
以下、図面を参照して本発明の撮影装置の実施の形態について説明する。図１は本発明の一実施形態としての撮影装置（携帯電話機）の構成例を表すブロック図である。本実施形態では、撮影装置の例として、２つのカメラを搭載した携帯電話機１０１を想定するが、正面側及び背面側の２つのカメラが搭載されたＰＣ（パーソナルコンピュータ）やデジタルカメラ等の装置でも利用可能である。また、図２は、図１に示した携帯電話機１０１の外観構成例を示した図である。
【００１２】
図１に示したように、本発明の一実施形態としての携帯電話機１０１は、カメラＡ２０１とカメラＢ２０２とを備えている。さらに、携帯電話機１０１は、ＤＳＰ（デジタル信号処理装置）２０３と、ＣＰＵ（中央処理装置）２０４と、表示装置２０５と、記憶部２０６と、操作部２０７とを備えている。ただし、図１は、携帯電話機１０１内で本発明の特徴に係る構成のみを示している。すなわち、携帯電話機１０１は、他に無線信号の送受信部、音声信号の入出力部、バッテリ等の構成を備えている。
【００１３】
カメラＡ２０１は、図２に示したように、携帯電話機１０１の筐体１０１ａにおいて、表示装置２０５の表示面２０５ａ側に設けられた撮影部を有するデジタルカメラである。このカメラＡ２０１は、表示装置２０５の表示面２０５ａ側に少なくとも光学系が設置され、その光学系が結像した画像光を撮影素子によって電気信号に変換して出力する。カメラＡ２０１によって撮影された撮影画像を、以下、撮影画像ａという。
【００１４】
カメラＢ２０２は、図２に示したように、携帯電話機１０１の筐体１０１ａの表示装置２０５の表示面２０５ａ側とは異なる面に設けられたデジタルカメラである。この場合、カメラＢ２０２は、表示面２０５ａ側（正面側）の反対側（背面側）に設けられている。このカメラＢ２０２は、表示装置２０５の表示面２０５ａ側とは異なる筐体面に少なくとも光学系が設置され、その光学系が結像した画像光を撮影素子によって電気信号に変換して出力する。カメラＢ２０２によって撮影された撮影画像を、以下、撮影画像ｂという。
【００１５】
このように、カメラＡ２０１とカメラＢ２０２とは、互いに異なる方向を撮影するカメラである。よって、カメラＡ２０１が対象となる被写体を撮影している場合、カメラＢ２０２は、カメラＡ２０１の周辺状況を撮影することができる。また、カメラＢ２０２が対象となる被写体を撮影している場合、カメラＡ２０１は、カメラＢ２０２の周辺状況を撮影することができる。
【００１６】
ＤＳＰ２０３は、所定のファームウェアプログラムを実行することで動作する画像処理用のＩＣ（集積回路）である。本実施形態においてＤＳＰ２０３は、ＣＰＵ２０４からの指示に従い、カメラＡ２０１及びカメラＢ２０２に対して所定の制御信号を出力したり、カメラＡ２０１及びカメラＢ２０２から出力された画像信号を入力したりする。ここで、カメラＡ２０１及びカメラＢ２０２から出力される画像信号は、アナログ信号であってもよいし、デジタル信号であってもよい。アナログ信号の場合、カメラＡ２０１及びカメラＢ２０２から出力された画像信号は、ＤＳＰ２０３内でデジタル信号に変換される。他方、デジタル信号の場合、カメラＡ２０１及びカメラＢ２０２内の信号処理回路によって撮影素子から出力されたアナログ信号がデジタル信号に変換される。
【００１７】
また、ＤＳＰ２０３は、カメラＡ２０１及びカメラＢ２０２から入力した画像信号を画像データとして記憶部２０６に一時記憶したり、記憶部２０６に一時記憶した画像データに画質調整などの画像処理を行って記憶部２０６に記憶したりする。また、ＤＳＰ２０３は、カメラＡ２０１及びカメラＢ２０２から出力された画像信号を、表示装置２０５用の画像信号に変換して表示装置２０５でプレビュー画面として表示する。ユーザは、この表示装置２０５に表示されているプレビュー画面を確認しながら撮影を行うことができる。つまり、ＤＳＰ２０３は、カメラＡ２０１及びカメラＢ２０２によって撮影された撮影画像を表示装置２０５に表示させるための表示制御を実行する表示制御部として機能する。
【００１８】
また、ＤＳＰ２０３は、ＣＰＵ２０４からの指示に従って、記憶部２０６に一時記憶した画像データを、所定形式のファイル（以下、画像ファイルと呼ぶ。）に変換して、記憶部２０６に記憶する。記憶部２０６に記憶される画像ファイルは、カメラＡ２０１及びカメラＢ２０２毎に別ファイルとなる（以下、カメラＡ２０１の撮影画像の画像ファイルを画像ファイルＡ、カメラＢ２０２の撮影画像の画像ファイルを画像ファイルＢと呼ぶ。）。
その際、ＤＳＰ２０３は、ＣＰＵ２０４からの指示に従って、カメラＡ２０１及びカメラＢ２０２を用いた撮影が、所定の撮影モードで行われた場合、所定のデータを、画像ファイルＡ及びＢに付帯情報として埋め込む処理を行う。すなわち、ＤＳＰ２０３は、カメラＡ２０１及びカメラＢ２０２を用いた撮影が、カメラＡ２０１とカメラＢ２０２との両方を用いた撮影が指示された撮影モード（以下、両面撮影モードと呼ぶ。）で行われた場合、次のようなデータの埋め込み処理を行う。なお、ここでは、データの埋め込み処理という名称を用いて説明するが、言い換えると、カメラＡ２０１によって撮影された撮影画像ａと、カメラＢ２０２によって撮影された撮影画像ｂとを、所定の情報を用いて関連付ける処理である。よって、ＤＳＰ２０３は、例えば、カメラＡ２０１による撮影時の周辺状況がカメラＢ２０２によって撮影された場合、あるいは、カメラＢ２０２による撮影時の周辺状況がカメラＡ２０１によって撮影された場合、カメラＢ２０２によって撮影された撮影画像ｂの画像データと、カメラＡ２０１によって撮影された撮影画像ａの画像データとを、それぞれ関連付付ける関連処理部として機能する。
【００１９】
この埋め込み処理で、埋め込むデータは、撮影モードが両面撮影モードであることを示すデータ（以下、撮影モードデータと呼ぶ）と、カメラＡ２０１の撮影画像の画像ファイルＡとカメラＢ２０２の撮影画像の画像ファイルＢとを対応付けるデータ（以下、対応付データと呼ぶ）とである。ここで、両面撮影モードであることを示すデータは、２つのカメラで用いた撮影モードであることを示すデータと、２つのカメラのどちらがメインで、どちらがサブであるかを示すデータとから構成される。両面撮影モードでは、例えばユーザの操作に応じて２つのカメラを順次に立ち上げる。
その際、先に立ち上げたカメラをメイン、後に立ち上げたカメラをサブとする。あるいは、カメラＡ２０１又はカメラＢ２０２のいずれか一方をユーザの指示に基づいて予めメイン又はサブとして設定しておく。また、対応付データについては、互いに対応する画像ファイルＡと画像ファイルＢとの両方に埋め込むこともできるし、どちらか一方に埋め込むこともできる。
【００２０】
ＤＳＰ２０３による画像ファイルへの撮影モードデータと対応付データとの埋め込み処理は次のように行うことができる。すなわち、画像ファイルを例えば画像データ用の汎用フォーマットで作成し、その際、付帯情報として、ユーザ用に使用可能なデータ領域（例えばセグメントやフィールドと呼ばれる。）に所定の符号（文字や数字）を設定することで行う。
例えば、画像ファイルを、Ｅｘｉｆ（Ｅｘｃｈａｎｇｅａｂｌｅ  ｉｍａｇｅ  ｆｉｌｅ  ｆｏｒｍａｔ）規格に従って作成する場合、メーカーノート等に予め定めた文字や数字を設定する。すなわち、撮影モードデータについては、タグ番号の１つを撮影モードデータとして定義し、例えばその値が「ＤＭ」の場合に両面撮影モードでメインカメラであるとする。例えばその値が「ＤＳ」の場合に両面撮影モードでサブカメラであるとする。
【００２１】
ここで、タグとは、画像ファイル内のフィールドに対応するものであり、各タグにはフィールドを識別するための固有の番号（タグ番号）が付与されている。一方、対応付データについては、タグ番号の他の１つを対応付データとして定義し、互いに（あるいはいずれか一方に）ペアとなる他方の画像ファイルの識別情報を設定する。この場合、各画像ファイルの所定のタグに固有のシリアル番号を付与することとしておく。そして、画像ファイルＡの対応付データタグの値に、ペアを組む画像ファイルＢのシリアル番号を設定する。また、画像ファイルＢの対応付データタグの値に、ペアを組む画像ファイルＡのシリアル番号を設定する。このように各画像ファイルに互いに他の画像ファイルのシリアル番号を埋め込んでおくことで、対応付けられている他のファイルを認識することができる。ただし、２つの画像ファイルのどちらか一方に対応する画像ファイルのシリアル番号を設定しない場合でも、自己のシリアル番号が設定されている他の画像ファイルを検索することで、対応付けを行うことが可能である。
【００２２】
さらに、画像ファイルを表示する際には、ＤＳＰ２０３は、ＣＰＵ２０４からの指示に従い、記憶部２０６から読み出した画像ファイルに、撮影モードデータが埋め込まれていた場合、その旨を示す所定のアイコンや文字情報等の予め定めた付加情報を付与した上で当該画像ファイルに基づく画像を表示装置２０５に表示する。すなわち、ＤＳＰ２０３は、ＣＰＵ２０４からの指示に従い、記憶部２０６から読み出した画像ファイルに、撮影モードが両面撮影モードであることを示すデータが埋め込まれていた場合、撮影モードが両面撮影モードであることを示す所定のアイコンや文字情報等の所定の情報を付与した上で当該画像ファイルに基づく画像を表示装置２０５に表示する。つまり、ＤＳＰ２０３は、カメラＡ２０１及びカメラＢ２０２によって撮影された撮影画像を、それぞれ関連付けて表示装置２０５に表示させるための表示制御を実行する表示制御部として機能する。なお、詳細については後述する。
例えば、ＤＳＰ２０３は、当該画像ファイルに基づく画像の角部分にいわゆるページめくりアイコンを表示することで、撮影モードが両面撮影モードであることを示す情報を付与する。図３に表示例を示した。なお、ＤＳＰ２０３は、ページめくりアイコンが表示されている表示領域に、複数の撮影画像の画像データを重畳して表示させる。
図３は、図２と同じ携帯電話機１０１の外観図である。図３に示した携帯電話機１０１は、表示面２０５ａに、１つの画像ファイルに基づく画像３０１が表示されるとともに、画像３０１の右上角部にページめくりアイコン４０１が表示されている。図３において図２に示したものと同一の構成には同一の符号を付けている。
【００２３】
なお、ＤＳＰ２０３は、例えばページめくりアイコンの表示態様を、メインカメラとサブカメラとで（あるいはカメラＡ２０１の撮影画像を表示する場合とカメラＢ２０２の撮影画像を表示する場合とで）、異ならせることができる。例えば、図３がカメラＢ２０２の撮影画像３０１を表示する例であるとする。これに対し、両面撮影モードにおいてカメラＢ２０２の撮影画像３０１とともに撮影されたカメラＡ２０１の画像を、例えば図４に示したように表示することができる。図４は、カメラＢ２０２の撮影画像３０１とともにカメラＡ２０１で撮影された画像３０２の表示例である。図４において図３に示したものと同一の構成には同一の符号を付けている。この場合、画像３０２の左下角部にページめくりアイコン４０２が表示されている。言い換えると、ＤＳＰ２０３は、撮影画像３０２の下層に、撮影画像３０１を表示するような表示態様で、撮影画像３０２と撮影画像３０１を表示させる。
【００２４】
さらに、操作部２０７に対する所定の操作や、表示装置２０５がタッチパネルを備える場合には表示装置２０５に対する所定の操作に応じて、図３又は図４に示したようなアイコン４０１や４０２を選択（すなわち例えばタッチ、フリック、スライド、タップやクリック）された場合、ＤＳＰ２０３はＣＰＵ２０４の指示に従って次の処理を行うことができる。すなわち、ＤＳＰ２０３は、アイコン４０１やアイコン４０２が選択された場合に、当該画像ファイルに対応付けられている他方の画像ファイルに基づく画像を表示装置２０５に表示させることができる。例えば、図３に示すような表示が行われている場合、ページめくりアイコン４０１がクリックされると、ＤＳＰ２０３が図４に示すように対応づけられている画像３０２を表示する。一方、図４に示すような表示が行われている場合、ページめくりアイコン４０２がクリックされると、ＤＳＰ２０３が図３に示すように対応づけられている画像３０１を表示する。
【００２５】
図１に戻り、ＣＰＵ２０４は、記憶部２０６に格納されている所定のプログラムを実行することで、ＤＳＰ２０３、表示装置２０５、操作部２０７等の各部を制御する。
本実施形態において、ＣＰＵ２０４は、表示装置２０５に表示する表示内容を制御する表示制御部として、以下のような処理を実行する。
カメラＡ２０１によって撮影された撮影画像Ａを表示装置２０５に表示させる際に、撮影画像Ａに関連付けられている撮影画像Ｂがある場合、ＣＰＵ２０４は、関連付けられている撮影画像Ａと撮影画像Ｂとを対応付けて表示装置２０５に表示させる。また、カメラＢ２０２によって撮影された撮影画像Ｂを表示装置２０５に表示させる際に、撮影画像Ｂに関連付けられている撮影画像Ａがある場合、ＣＰＵ２０４は、関連付けられている撮影画像Ａと撮影画像Ｂとを対応づけて表示装置２０５に表示させる。
【００２６】
具体的に説明すると、ＣＰＵ２０４は、撮影画像Ａの下層に関連付けられている撮影画像Ｂを、あるいは、撮影画像Ｂの下層に関連付けられている撮影画像Ａを、それぞれ表示できることを示す指標（ページめくりアイコン）を表示させる。
また、ＣＰＵ２０４は、カメラＡ２０１あるいはカメラＢ２０２のうち、メインのカメラによって撮影された撮影画像を、サブのカメラによって撮影された撮影画像の表示領域よりも大きく表示させるようにしてもよい。ここで、ＣＰＵ２０４が表示させるカメラＡ２０１あるいはカメラＢ２０２によって撮影された撮影画像とは、シャッターボタンが押下されて撮影された撮影画像に限られず、シャッターボタンを押下する前に撮影される画像をユーザにみせるために表示装置２０５に表示させるための撮影画像（プレビュー画像）も含む。
なお、上記では、ＤＳＰ２０３によって画像ファイルへの撮影モードデータと対応付データとの埋め込み処理を行うこととしているが、ＣＰＵ２０４によってその一部又は全部を行うようにしてもよい。また、記憶部２０６に格納されている画像ファイルを読み出して図３や図４に示したようにして画像を表示装置２０５に表示する際の処理についても、ＤＳＰ２０３が行う処理の一部又は全部を、ＣＰＵ２０４によって実行するようにしてもよい。
【００２７】
表示装置２０５は、画像表示装置であり、例えば液晶パネルとそのドライバ回路等とによって構成することができる。表示装置２０５は、ＣＰＵ２０４の指示に従って、ＤＳＰ２０３から入力された画像データに基づく表示を、液晶パネル等の表示面２０５ａ上に行ったり、ＣＰＵ２０４から入力された文字や画像データに基づく表示を、液晶パネル等の表示面２０５ａ上に行ったりする。表示装置２０５は、さらに、タッチパネルのような入力装置を表示面に一体として設けることで、ユーザによる操作を入力する装置を構成することもできる。この場合、表示装置２０５は、ＣＰＵ２０４に対して、ユーザによる操作入力を入力するための入力装置を構成する。
【００２８】
記憶部２０６は、揮発性のメモリや不揮発性のメモリからなる記憶装置である。また、記憶部２０６は、着脱自在な不揮発メモリ媒体を含むものとすることができる。記憶部２０６内の揮発性のメモリは、例えば、ＤＳＰ２０３が画像データを一時保存したり、当該画像データを含む画像ファイルを一時保存したりするために使用することできる。記憶部２０６内の揮発性のメモリは、ＣＰＵ２０４が各種データを処理する際のワークエリアとして使用することができる。記憶部２０６内の揮発性のメモリは、例えば、ＤＳＰ２０３が画像ファイルを保存するために使用したり、ＣＰＵ２０４が使用するプログラムや各種データを保存するために使用したりすることができる。
【００２９】
操作部２０７は、例えば図２に示したように、複数の操作ボタン２０７ａ、２０７ｂ及び２０７ｃを有して構成されている。ユーザが、操作ボタン２０７ａ、２０７ｂ及び２０７ｃを押下した場合には、その旨を示す信号をＣＰＵ２０４に対して出力する。
【００３０】
次に、図５を参照して、図１に示したユーザが携帯電話機１０１を使用して、カメラＡ２０１とカメラＢ２０２の両方を用いて撮影を行う場合の動作例について説明する。なお、以下で説明するユーザによる入力操作は、操作部２０７に対して行うようにしてもよいし、タッチパネルを備える表示装置２０５に対して行うようにしてもよい。
【００３１】
（ステップＳ４０１）
まず、ユーザの例えば操作部２０７に対するカメラ起動操作により、図１のカメラＢ２０２を起動させる。
（ステップＳ４０２）
ＤＳＰ２０３によって表示装置２０５にカメラＢ２０２のプレビュー画像が表示される。
（ステップＳ４０３）
続いて、両面撮影を行う指示をユーザが行う。
【００３２】
（ステップＳ４０４）
これによってＣＰＵ２０４の指示の下、カメラＡ２０１が起動する。この際、カメラＡ２０１とカメラＢ２０２のデータ出力のフレーム数は異なる場合が想定される為、ＤＳＰ２０３にて受け取った画像データはカメラＡ２０１及びカメラＢ２０２のデータを交互に記憶部２０６や表示装置２０５（あるいはＣＰＵ２０４を介して記憶部２０６や表示装置２０５）へ出力する。その際、２つの画像データを扱う為、高速フレームでは動作負荷が高い。そのため、状況に合わせてＤＳＰ２０３からの出力フレーム数を下げたり、撮影画像のサイズを小さくするなどの処理アレンジを行うようにしてもよい。
【００３３】
（ステップＳ４０５）
そして、記憶部２０６や表示装置２０５（あるいはＣＰＵ２０４）は、カメラＡ２０１及びカメラＢ２０２からのデータを交互に受け取り、記憶部２０６にデータを記憶したり、表示装置２０５に表示したりする。すなわち、ステップＳ４０５以降は、表示装置２０５でカメラＡ２０１とカメラＢの両方のプレビュー画面が表示される。この際、ＣＰＵ２０４は、例えば、先に立ち上げていたカメラＢ２０２をメインとなるカメラと設定し、メインのカメラＢ２０２のプレビュー画像を表示するプレビュー画面サイズ（表示領域）を、サブのカメラＡ２０１のプレビュー画像の表示領域よりも大きく表示する。図６にプレビュー画面の表示例を示した。図６は、カメラＡ２０１のプレビュー画面５０２と、カメラＢ２０２のプレビュー画面５０１の表示例を示した図である。図６において、図３及び図４に示したものと同一の構成には、同一の符号を付けている。
【００３４】
（ステップＳ４０６）
続いてユーザは、撮影したい被写体に対し画角を合わせ撮影を行う。この際ユーザ操作としては、例えばプレビュー画面５０１又は５０２をタッチすることで撮影を行う。スマートフォンでの利用を仮定する。
ユーザがプレビュー画面５０１又は５０２をタッチすると、タッチしたプレビュー画面の方のみシャッター操作が行われる。これにより、シャッター操作が行われたカメラＡ２０１あるいはカメラＢ２０２が被写体を撮影し、撮影画像ａあるいは撮影画像ｂを取得する。そして、ＤＳＰ２０３が、撮影画像ａあるいは撮影画像ｂを、所定の確認画面に表示させる。
【００３５】
（ステップＳ４０７）
ここでは、カメラＢ２０２のプレビュー画面５０１がタッチされ、カメラＢ２０２の撮影画像ｂが撮影されたとする。ステップＳ４０７での確認画面の状態とは、例えば撮影画像を確定してよいか否かを入力するための質問文と、それに対する肯定又は否定の回答を入力するためのアイコンを表示した状態である。
肯定の回答が入力された場合（すなわち確認操作がされた場合）、ＣＰＵ２０４は、カメラＢ２０２で撮影した撮影画像ｂの画像データを記憶部２０６に保存する。他方、否定の回答が入力された場合、ステップＳ４０５に動作が戻る。
【００３６】
ステップＳ４０７で確認操作がされた場合、タッチされていない側（この例ではカメラＡ２０１側）のプレビュー画面は継続されて動作しており、ユーザの撮影操作を待つ状態となる。
（ステップＳ４０８）
その後、タッチされていない方のカメラ（この例ではカメラＡ２０１）もプレビュー画面（この例では画面５０２）をタッチすることで撮影される。
（ステップＳ４０９）
両方の撮影が完了した時点で保存処理を行う遷移が、ユーザ操作で又はＣＰＵ２０４によって自動的に、可能となる。例えば、両方の撮影が完了した段階で再度、両方の画像の保存についての確認画面の状態とする。そして、ユーザが確認する旨の操作を行った場合に、画像ファイルの保存処理を開始する。あるいは、両方のカメラで撮影が完了した段階で、画像ファイルの保存処理を自動的に開始する。
【００３７】
（ステップＳ４１０）
次に、ＣＰＵ２０４の指示の下、ＤＳＰ２０３が画像ファイルの保存処理を実行する（Ｓ４０９）。ここで、カメラＡ２０１で撮影された画像と、カメラＢ２０２で撮影された画像とに対応する、２枚の画像ファイルが記憶部２０６に保存される。保存する際、この２枚の画像は両面撮影で撮影されたデータとして扱われる。ＤＳＰ２０３は、上述したようにしてＥｘｉｆ情報等に両面撮影データとしての情報を書き込む。
【００３８】
一方、撮影した画像の再生動作としては、操作部２０７あるいは表示装置２０５のタッチパネルに対するユーザの所定の操作に応じ、ＣＰＵ２０３の指示に従って、記憶部２０６に保存されている画像ファイルに基づく画像が表示装置２０５で表示される。
例えば、メイン側（この場合カメラＢ２０２）で撮影された撮影画像の画像データが通常、ビューアーで見る際に映し出される。すなわち、複数の画像ファイルを順次表示する際には、両面撮影モードでサブカメラとして設定されるカメラで撮影された画像は、特定の操作を行わない場合は表示されない。ただし、メイン側のデータの角に裏をめくれるアイコン（図３のアイコン４０１）が表示され、めくると（すなわち、例えばアイコン４０１がフリックされると）サブ側で撮影された画像が表示される。その際、めくるアイコン（図４のアイコン４０２）は対角側の位置に表示される。
【００３９】
以上のように、本実施形態によれば、次のような効果を得ることができる。すなわち、カメラＡ２０１とカメラＢ２０２との両方を用いた撮影である場合、その旨を示す情報を付与した上で当該画像ファイルに基づく画像が表示装置２０５に表示される。したがって、ユーザは、異なる筐体面に設けられた２つのカメラを用いて異なる撮影対象の撮影を行う場合であっても、例えば後で撮影画像を見返した際に、同じ状況で撮影した他のカメラによる撮影画像があることを容易に認識することができる。
また、本実施形態のように、２つのカメラを用いて撮影を行う両面撮影モードを用いることで、次のような効果を得ることができる。つまり、通常カメラ撮影を行う場合、撮影する被写体は撮影出来るが撮影している側の状況を撮影することは難しい。これに対し、両面撮影モードを用いることで、誰がどういった状況で撮影していたかを同時に撮影することが出来、後で撮影画像を見る際にも両面画像として見ることが出来る為、利便性や面白さが増すと思われる。
【００４０】
次に、図７を参照して、図１に示した携帯電話機１０１の他の動作例について説明する。図７に示した他の動作例では、静止画でなく動画撮影で両面録画を行う。
基本動作は図５を参照して説明した静止画撮影と同様であり、まずカメラＢ２０２を起動（Ｓ５０１）させカメラＢ２０２のプレビュー画面を表示（Ｓ５０２）させる。ここでユーザが両面録画ボタンを押下（Ｓ５０３）することでカメラＡ２０１が起動する（Ｓ５０４）。ＣＰＵ２０４の制御の下、両方のプレビュー画面を表示装置２０５に出力（Ｓ５０５）した後、ユーザ操作で動画録画が開始される（Ｓ５０６）。静止画と異なり、録画する際は両方同時に録画処理が行われる（Ｓ５０７）。また、ユーザによる所定の操作に応じて録画が停止する（Ｓ５０８）。静止画同様、両面記録データとして保存され、再生する際は液晶画面内に上下分割や左右分割等で同時に再生が行われる。
【００４１】
図７に示した動作例では、動画録画にても両方のカメラで記録保存が出来る事で話しながら動画撮影をする際など、撮影者側の顔を映しながら音声データも取得が出来る為、データを見る際に撮影者の表情と音声とが両方合わせて見ることが出来る。
【００４２】
なお、本発明の実施形態は上記のものに限られず、例えば図１に示したＤＳＰ２０３とＣＰＵ２０４との２つの装置において各機能の一部又は全部を他方の装置で行うようにしたり、カメラの台数を３個以上の複数としたり、２つのカメラの撮影を同時に行えるようにしたりといった変更を適宜行うことができる。なお、ＤＳＰ２０３やＣＰＵ２０４が実行するプログラムは、その一部又は全部を、コンピュータ読み取り可能な記録媒体や通信回線を介して流通させることが可能である。
【００４３】
なお、本発明の実施形態を、機能別のブロック図で表した場合には図８に示すようになる。本実施形態に係る撮影装置は、筐体の第１の側面に設けられ第１の方向を撮影する第１のカメラと、前記第１の側面と異なる前記筐体の第２の側面に設けられ前記第１の方向とは異なる第２の方向を撮影する第２のカメラと、前記第１のカメラによる撮影時の周辺状況が前記第２のカメラによって撮影された場合、前記第１のカメラによって撮影された第１撮影画像の画像データと、前記第２のカメラによって撮影された第２撮影画像の画像データとを、それぞれ関連付付ける関連処理部と、を備える。この第１のカメラあるいは第２のカメラは、例えば、本実施形態におけるカメラＡ２０１あるいはカメラＢ２０２に対応する構成である。また、関連処理部は、本実施形態におけるＤＳＰ２０３あるいはＣＰＵ２０４、もしくはその両方に対応する構成である。
【００４４】
上記の実施形態の一部又は全部は、以下の付記のようにも記載され得るが、以下には限られない。
【００４５】
また、本実施の形態に係る携帯電話機１０１は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００４６】
「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
また、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものであってもよい。
【００４７】
さらに、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムに既に記録されているプログラムとの組合せで実現できるもの、いわゆる差分ファイル（差分プログラム）であっても良い。
【符号の説明】
【００４８】
１０１  携帯電話機
２０１  カメラＡ
２０２  カメラＢ
２０３  ＤＳＰ
２０４  ＣＰＵ
２０５  表示装置
２０６  記憶部
２０７  操作部
４０１、４０２  ページめくりアイコン
【図１】
2013243455.tif 000003
【図２】
2013243455.tif 000004
【図３】
2013243455.tif 000005
【図４】
2013243455.tif 000006
【図５】
2013243455.tif 000007
【図６】
2013243455.tif 000008
【図７】
2013243455.tif 000009
【図８】
2013243455.tif 000010